(57)【特許請求の範囲】
【請求項１】
背もたれと、
前記背もたれの前方に設けられ、使用者が着座する座面と、
前記座面の下方に設けられる脚部と、
前記座面の前方に設けられるフットレストと、
前記背もたれに設けられ、使用者の背面を暖める背面ヒータと、
前記座部の側面に設けられ、使用者の膝側面を暖める膝面ヒータと、
前記フットレストに設けられ、使用者の足元を暖める足元ヒータと、
前記背面ヒータと前記膝面ヒータと前記足元ヒータを制御する制御装置と、
を備える暖房椅子であって、
前記膝面ヒータは、使用者の膝面に対して近接離反が可能であるサイドボードに設けられる
暖房椅子。
【請求項２】
側面に肘掛を備え、
前記膝面ヒータは、前記肘掛に対して可動し、調整自在となっている請求項１に記載の暖房椅子。
【請求項３】
背もたれと、
前記背もたれの前方に設けられ、使用者が着座する座面と、
前記座面の下方に設けられる脚部と、
前記座面の前方に設けられるフットレストと、
前記背もたれに設けられ、使用者の背面を暖める背面ヒータと、
前記座部の側面に設けられ、使用者の膝側面を暖める膝面ヒータと、
前記フットレストに設けられ、使用者の足元を暖める足元ヒータと、
前記背面ヒータと前記膝面ヒータと前記足元ヒータを制御する制御装置と、
側面に肘掛と、
を備える暖房椅子であって、
前記膝面ヒータは、前記肘掛に対して可動し、調整自在となっている
暖房椅子。
【請求項４】
前記膝面ヒータは、使用者の膝前面を温める請求項１〜３のいずれかに記載の暖房椅子。
【請求項５】
背もたれと、
前記背もたれの前方に設けられ、使用者が着座する座面と、
前記座面の下方に設けられる脚部と、
前記座面の前方に設けられるフットレストと、
前記背もたれに設けられ、使用者の背面を暖める背面ヒータと、
前記座部の側面に設けられ、使用者の膝側面を暖める膝面ヒータと、
前記フットレストに設けられ、使用者の足元を暖める足元ヒータと、
前記背面ヒータと前記膝面ヒータと前記足元ヒータを制御する制御装置と、を備える暖房椅子であって、
前記膝面ヒータが作動している状態の時に前記膝面ヒータを移動することが可能である
暖房椅子。
【発明の詳細な説明】
【技術分野】
【０００１】
本発明は、暖房機能を有する椅子に関する。
【背景技術】
【０００２】
背もたれと、座部と、在席検出手段と、制御手段と、背もたれに格納延出可能なシート状部材を有する暖房椅子であって、シート状部材に電気ヒータを配置して腹部ヒータとし、在席検出手段が、座席に人の着座の有無を検出したとき制御手段が腹部ヒータに通電制御する構成とした自動車用の暖房椅子が知られている（例えば、特許文献１）。
【先行技術文献】
【特許文献】
【０００３】
【特許文献１】特開２０１０−１７３３３９号公報
【発明の概要】
【発明が解決しようとする課題】
【０００４】
しかしながら、特許文献１に示される自動車用の暖房椅子では、使用者が使用時に腹部以外の部位に冷えを感じることがあり、身体の一部に冷えを感じると温熱的な快適感を得ることの妨げとなるという問題が発生し得る。
【０００５】
そこで、本発明は上記問題点に鑑みて成されたものであり、使用者に温熱的な快適感が得られる暖房椅子を提供することを課題とする。
【課題を解決するための手段】
【０００６】
本発明の課題を解決するために講じた手段は、背もたれと、前記背もたれの前方に設けられ、使用者が着座する座面と、前記座面の下方に設けられる脚部と、前記座面の前方に設けられるフットレストとを備える暖房椅子であって、前記背もたれに設けられ、使用者の背面を暖める背面ヒータと、前記座部側面に設けられ、使用者の膝側面を暖める膝面ヒータと、前記フットレストに設けられ、使用者の足元を暖める足元ヒータと、前記背面ヒータと前記膝面ヒータと前記足元ヒータを制御する制御装置とを備える構成とした。
【０００７】
この場合、前記膝面ヒータは、使用者の膝前面を温める構成とすると良い。
【０００８】
また、前記膝面ヒータは使用者の膝面に対して近接離反が可能であるサイドボードに設けられる構成とすると良い。
【０００９】
また、側面に肘掛を備え、前記膝面ヒータは、前記肘掛に対して可動し、調整自在となっている構成とすると良い。
【発明の効果】
【００１０】
本発明の暖房椅子では、背面ヒータ、膝面ヒータおよび足元ヒータとにより、使用者が冷えを感じた場合に、背面、膝面、足元と言った複数の部位を部分的に暖めると効果的に温かさを感じられるものとなり、温熱的な快適感を得ることが可能である。
【００１１】
また、使用者の背面、膝側面、膝前面、足元といった、暖めると効果的に温かさを感じられる箇所を個別に温度を設定し暖めることで、部分的な温度制御を行うことにより温熱的な快適感が得られる。
【００１２】
また、制御装置により複数の設定温度を設けて、温度勾配を設定することで、例えば高い温度から低い温度に温度勾配を設定するときは一定の温度に達したら徐々に温度を下げていき適度な温かさを感じられるようにすることで、暑くなりすぎず適度な温熱感を感じることができ、低い温度から高い温度に温度勾配を設定するときは徐々に温かくなる感覚をより長い時間感じることができ、温熱的な快適感が持続する。
【００１３】
また、膝面ヒータは、使用者の膝面に対して近接離反が可能であるサイドボードに設けられる構成であると、膝が動いても膝を暖めることができ、立つ時、座る時に邪魔にならない構成とすることが可能である。
【００１４】
また、着座者のお尻も暖めることで、より温熱的な快適感が得られる。
【図面の簡単な説明】
【００１５】
【図１】本発明の暖房椅子を正面から見た図である。
【図２】本発明の暖房椅子を平面から見た図である。
【図３】本発明の暖房椅子を側面から見た図である。
【図４】本発明の暖房椅子のサイドボードアームの動きを示す状態遷移図である。
【図５】本発明の暖房椅子を正面から見た図である。
【図６】本発明の暖房椅子の第１の変形例を正面から見た図である。
【図７】本発明の暖房椅子の第２の変形例を正面から見た図である。
【図８】本発明の暖房椅子の第３の変形例を正面から見た図である。
【発明を実施するための形態】
【００１６】
以下に本発明の第１の実施例について、図面を参照に詳細に説明する。
【００１７】
図１は本発明の暖房椅子１を正面から見た説明図である。暖房椅子１は、背もたれ２と、背もたれ２と垂直に設けられる座面３と、座面３の左右の側面に垂直に設けられる２つの肘掛４と、使用者が着座する座面（座部）３の下方に設けられる４本の脚部５と、座面３から斜め下前方に角度調整可能に延設されるレッグレスト６と、レッグレスト６の先端に角度調整可能に取り付けられるフットレスト７とを備える。また、肘掛４は前方に開口した断面四角形状の凹部４０と、肘掛４に対して前後方向に移動するサイドボード１１と、サイドボード１１と第１アーム１２（図２参照）を接続する第１サイドボードジョイント１４とを有する。さらに、背もたれ２は背面ヒータ２１を有し、座面３は座面ヒータ２２を有し、サイドボード１１は膝側面ヒータ２３（膝面ヒータ）を有し、レッグレスト６はふくらはぎヒータ２４を有し、フットレスト７は足元ヒータ２５を有する。使用者が座るとき、立ち上がるときにこの形態をとる。
【００１８】
図２は本発明の暖房椅子１を平面から見た説明図である。暖房椅子１は、サイドボード１１を肘掛４の凹部４０に前後方向にスライド可能に連結され、第1アーム１２と、第２アーム１３とを備える。また、暖房椅子１は、サイドボード１１と第１アーム１２とを左右方向に回動可能に接続する第１ジョイント１４と、第１アーム１２と第２アーム１３とを座面に対して左右方向に回動可能に接続する第２ジョイント１５とを有する。
【００１９】
図３は本発明の暖房椅子１を側面から見た説明図である。暖房椅子１は、レッグレスト６とフットレスト７とを上下方向に回動可能に接続するフットレストジョイント８と、レッグレスト６と座面３とを前後方向に回動可能に接続するレッグレストジョイント９とを備える。また、肘掛４は、背面ヒータ２１と座面ヒータ２２と膝側面ヒータ２３とふくらはぎヒータ２４と足元ヒータ２５の制御、例えば、温度設定を制御する制御装置１０を有する。
【００２０】
図４は本発明の暖房椅子１の向かって左側の第１アーム１２及び第２アーム１３の動きを示す説明図である。（I）から（II）では凹部４０から第２アーム１３が前方向にスライド移動している。また、（II）から（III）ではさらに第１サイドボードジョイント１４は、サイドボード１１前方を右方向に回動させ、第２サイドボードジョイント１５は、第１アーム１２前方を左方向に回動させた状態である。
【００２１】
図５は本発明の第１アーム１２と第２アーム１３とが図４の（III）の状態の暖房椅子を正面から見た説明図である。図１に対してサイドボード１１が肘掛４の凹部から前方向にスライド移動し、さらに第１サイドボードジョイント１４は、サイドボード１１前方を座面３に対して外側（暖房椅子１の向かって左側のサイドボード１１では左側、暖房椅子１の向かって右側のサイドボード１１では右側）に回動させ、サイドボード１１は使用者の膝面に対して可動し幅方向に調整自在となっており、近接離反が可能である。第２サイドボードジョイント１５は、第１アーム１２前方を座面３に対して内側（暖房椅子１の向かって左側の第１アーム１２では右側、暖房椅子１の向かって右側の第１アーム１２では左側）に回動させた状態である。使用者が本発明の暖房椅子１を使用するときにこの形態をとる。
【００２２】
本発明の実施形態の動作について説明する。
【００２３】
使用者が暖房椅子１に着座する際や起立する際に図１に示すようサイドボード１１を座面３に対して外側に回動させ、着座状態においては図５に示すよう、サイドボード１１を座面３に対して内側に回動させ使用者の膝側面に接する状態にする。
【００２４】
図１の状態から図５の状態となるには、まず、図４に示すように、肘掛４に設けられた凹部４０から、第２アーム１３を前方に向かって突出させる。次に第２サイドボードジョイント１５で第１アーム１２を第１アーム１２前方が座面３に対して内側に回動させる。さらに第１サイドボードジョイント１４でサイドボード１１をサイドボード１１前方が座面３に対して外側に回動させる。
【００２５】
逆に図５の状態から図１の状態になるには、まず、第１サイドボードジョイント１４でサイドボード１１をサイドボード１１前方が座面３に対して内側に回動させる。次に第２サイドボードジョイント１５で第１アーム１２を第１アーム１２前方が座面３に対して外側に回動させる。さらに、第２アーム１３を後方に向かって肘掛４に設けられた凹部４０に格納することが可能である。
【００２６】
使用者が背面ヒータ２１と座面ヒータ２２と膝側面ヒータ２３とふくらはぎヒータ２４と足元ヒータ２５の温度設定を変更するには肘掛４に設けられた制御装置１０を操作して設定温度を変更する。制御装置１０は、背面ヒータ２１と座面ヒータ２２と膝側面ヒータ２３とふくらはぎヒータ２４と足元ヒータ２５との温度を個別に制御でき、例えば背面ヒータ２１と座面ヒータ２２を高めの温度設定とし、膝側面ヒータ２３は少し低い温度設定とし、ふくらはぎヒータ２４と足元ヒータ２５はさらに低い温度設定とする部位毎で異なる制御を行うことができる。また、制御装置１０は、着座直後に到達させる設定温度に対して、２度目の加温以降の設定温度を低くする制御を行うこともできる。
【表１】
0005765117.tif 000002
【００２７】
表１は、加温時の手、足、膝の温冷感（主観評価）を示す表である。気温１８℃、湿度４０％の室内で各部位の温冷感を調査した。評価としては「非常に熱い、熱い、温かい、どちらでもない、やや冷たい、冷たい、非常に冷たい」の７段階評価である。表１より、背中、お尻、膝側方、足元を暖めると冷えを感じる箇所がなく、温熱的な快適感が得られることがわかる。
【００２８】
本発明の実施形態の効果について説明する。
【００２９】
本発明の暖房椅子１では、冷えを感じると温熱的な快適感を得ることの妨げとなる使用者の背面、お尻、膝側面、足元といった、冷えを感じやすく、暖めると効果的に温かさを感じられる箇所を個別に温度を設定し暖めることで温熱的な快適感が得られる。
【００３０】
また、着座直後に到達させる設定温度に対して、２度目の加温以降の設定温度を低くすることで、温度勾配を設定することで、最初の設定温度に達したら徐々に温度を下げていき適度な温かさを感じられるようにすることで暑くなりすぎず適度な温熱感を感じることができ、温熱的な快適感が持続する。
【００３１】
また、膝側面ヒータ２３は、可動式であって暖房椅子１内に格納できることで、使用者の膝が動いても膝の方に図示しないスプリング等をサイドボード１１を支持しているアームを連結しているジョイント部の前後に用いることで、使用者の膝に近接あるいは接触させ、使用者の膝を暖めることができ、使用者が立つ時や座る時等に邪魔にならない。
【００３２】
図６は本発明の暖房椅子１の第１の変形例を正面から見た説明図である。
【００３３】
第１の実施例では図１に示すように第１アーム１２及び第２アーム１３を用いてサイドボード１１に設けられた膝側面ヒータ２３が使用者の膝側面に接していたのに対し、本発明の暖房椅子１の第１の変形例では図６に示すようにサイドボード１１ａが湾曲して膝側面ヒータ２３ａが使用者の膝側面に接しても良い。
【００３４】
図７は本発明の暖房椅子１の第２の変形例を正面から見た説明図である。
【００３５】
第１の実施例では図１に示すように第１アーム１２及び第２アーム１３を用いてサイドボード１１に設けられた膝側面ヒータ２３が使用者の膝側面に接していたのに対し、本発明の暖房椅子１の第２の変形例では図７に示すように肘掛４ｂの内側に設けられた膝側面ヒータ２３ｂが使用者の膝側面に接しても良い。
【００３６】
図８は本発明の暖房椅子１の第３の変形例を正面から見た説明図である。
【００３７】
第１の実施例では図１に示すように第１アーム１２及び第２アーム１３を用いてサイドボード１１に設けられた膝側面ヒータ２３が使用者の膝側面に接していたのに対し、本発明の暖房椅子１の第３の変形例では図８に示すようにサイドボード１１ｃが使用者の膝平面で面ファスナー３０を用いて接続されて膝側面ヒータ２３ｃが使用者の膝に接しても良い。
【００３８】
なお、本発明は上記実施形態に限定されるものではなく、以下に示す態様に変更しても良い。
【００３９】
・第１の実施例及び変形例では膝側面を暖めているが、膝側面に加えて膝前面を暖めても良い。
【００４０】
・第１の実施例及び変形例では、背中と背面ヒータ２１とお尻と座面ヒータ２２と足元と足元ヒータ２５に比べて、膝と膝側面ヒータ２３とふくらはぎとふくらはぎヒータ２４の方が人体をヒータ面に押し付ける力が弱く、人体とヒータ面の接触面の比率が小さくなる場合、背面ヒータ２１や座面ヒータ２３や足元ヒータ２５より膝側面ヒータ２３やふくらはぎヒータ２４も高い温度設定としても良い。
【００４１】
・第１の実施例及び変形例では着座直後に到達させる設定温度に対して、２度目の加温以降の設定温度を低くすることで、温度勾配を設定しているが、着座直後に到達させる設定温度に対して、２度目の加温以降の設定温度を高くすることで、温度勾配を設定しても良い。
【００４２】
・第１の実施例及び変形例では椅子と記載してあるが、自動車や飛行機の座席に用いても良い。
【００４３】
・第１の実施例及び変形例では背面ヒータ及び座面ヒータに比べて、膝側面ヒータと足元ヒータの温度を低く設定しているが、各ヒータの温度設定は使用用途、使用環境によって変えても良い。
【００４４】
・第１の実施例及び変形例では加温部にヒータを用いているが、蓄熱剤や触媒を利用したり、廃熱を利用しても良い。
【符号の説明】
【００４５】
１  暖房椅子
２  背もたれ
３  座部
４  肘掛
５  脚部
６  レッグレスト
７  フットレスト
２１  背面ヒータ
２２  座面ヒータ
２３  膝側面ヒータ（膝面ヒータ）
２４  ふくらはぎヒータ
２５  足元ヒータ
【図１】
0005765117.tif 000003
【図２】
0005765117.tif 000004
【図３】
0005765117.tif 000005
【図４】
0005765117.tif 000006
【図５】
0005765117.tif 000007
【図６】
0005765117.tif 000008
【図７】
0005765117.tif 000009
【図８】
0005765117.tif 000010